(57)【要約】【課題】屋上等のコンクリート床、斜面、折版屋根、さらには壁面等に容易に設置すると共に、従来のネットを不要とし、芝生或いは草花や樹木等の植栽を可能とした多目的植栽基盤を提供する。【解決手段】押え桟２によって仕切られた開放窓３を有する押え蓋５と、該押え蓋５の開口側を支持すると共に押え蓋５内に充填した培土６を受ける受皿７とからなり、ポット植栽に使用する場合、押え蓋５内に収容した状態で開放窓３側に露呈する植栽ポット１０を備えた植栽ポットトレー９を設け、壁面２０に取り付けてポット植栽に使用する場合、押え蓋５内に収容して開放窓３に露呈する植栽ポット１０を備えた植栽ポットトレー９を設けると共に、該植栽ポットトレー９の植栽ポット１０の外側に取り付けて該植栽ポット内の培土を受けるポケット状の土受けトレー１５を設け、さらに該土受けトレー１５を所定位置に保持すると共に押え蓋５を押えるメッシュ盤１９を設ける。【選択図】図３
2005333976.tif 000002
【特許請求の範囲】
【請求項１】
押え桟によって仕切られた開放窓を有する押え蓋と、該押え蓋の開口側を支持すると共に前記押え蓋内に充填した培土を受ける受皿とからなり、前記押え蓋の開放窓を下方にして裏返した芝生シートで前記開放窓を閉塞した状態にして前記押え蓋内に培土を充填し、該押え蓋の開口側に前記受皿を被せた状態にして前記押え蓋側を表に返すことによって該押え蓋内の培土上にある前記芝生シートを前記押え蓋の押え桟で押えた状態にすることを特徴とする多目的植栽基盤。
【請求項２】
押え桟によって仕切られた開放窓を有する押え蓋と、該押え蓋の開口側を支持すると共に前記押え蓋内に充填した培土を受ける受皿とを有し、これらの組み合わせをポット植栽に使用する場合、前記押え蓋内に収容した状態で前記開放窓側に露呈する植栽ポットを備えた植栽ポットトレーを設け、前記押え蓋の開放窓を下方にして裏返した前記植栽ポットトレーで前記開放窓を閉塞した状態にして前記押え蓋内に培土を充填し、該押え蓋の開口側に前記受皿を被せた状態にして前記押え蓋側を表に返すことによって該押え蓋内の培土上にある前記植栽ポットトレーを前記押え蓋の押え桟で押えた状態にすると共に該押え蓋の開放窓に露呈された前記植栽ポットに植物を植栽するようにしたことを特徴とする多目的植栽基盤。
【請求項３】
押え桟によって仕切られた開放窓を有する押え蓋と、該押え蓋の開口側を支持すると共に前記押え蓋内に充填した培土を受ける受皿とを有し、これらの組み合わせを壁面に沿って縦状に取り付けてポット植栽に使用する場合、前記押え蓋内に収容して前記開放窓に露呈する植栽ポットを備えた植栽ポットトレーを設けると共に、該植栽ポットトレーの植栽ポットの外側に取り付けて該植栽ポット内の培土を受けるポケット状の土受けトレーを設け、さらに該土受けトレーを所定位置に保持すると共に前記押え蓋を押えるメッシュ盤を設け、該メッシュ盤と前記押え蓋と前記受皿を貫くネジによって壁面に直接又は壁面に固定した金具を介して取り付けるようにしたことを特徴とする多目的植栽基盤。
【請求項４】
請求項３記載の多目的植栽基盤において、前記壁面に沿って縦状に取付けた状態における植栽基盤の前記植栽ポットトレーに設けられた各植栽ポットの外周の下側に沿って感温性の吸排水性ポリマーを用いた感温性吸排水マットを勾配をつけて設けると共に、該植栽ポットトレーの最上部に感温性吸排水マットを勾配をつけて設け、該最上部の感温性吸排水マットに接触する位置に複数の給水穴を有する水平管を備えた潅水パイプを設け、各給水穴から流出した水分を前記最上部の感温性吸排水マットに吸収させると共に、該最上部の感温性吸排水マットの勾配に沿って流下した水分を順次下方の感温性吸排水マット及び培土を経て各感温性吸排水マットに供給するようにしたことを特徴とする多目的植栽基盤。
【発明の詳細な説明】
【技術分野】
【０００１】
本発明は、屋上等のコンクリート面、斜面、折版屋根、さらには壁面等にも設置可能な多目的植栽基盤であって、芝生の植栽、ポット植栽、さらには壁面用のポット植栽を可能とした多目的植栽基盤に関するものである。
【背景技術】
【０００２】
近年、建物の屋上やベランダ等に緑化を推進することが行われている。このような建物の屋上緑化に関する従来の技術として特許文献１を挙げると、図１２（ａ）に示すように、ゼオライト等の多孔質材料を用いて保水性を有する如く構成された植物栽培用構造体３１の表面に、芝生シート３４を設置することにより、植物の根を上記多孔質性材料の間に入り込ませて栽培するようにしたものである。
【０００３】
なお、図１２(ｂ）は特許文献１の植物栽培用構造体３１とその下方のベース３２を示す断面図であり、四辺に立上り片３２aを有する貯水可能なプラスチックや金属容器等からなるベース３２の上部に多孔質材料としてのゼオライトを注入して高圧で成形固化することにより、植物栽培用構造体３１の裏側にベース３２が一体固化されてなるものである。
【０００４】
さらに、図１２(ｃ）に示すものは、特許文献１の植物栽培用構造体３１の上面（表面）に複数の凹部３３を形成したもので、夫々の凹部３３に土と種とを入れて植物を栽培することができるようにしたものである。
【特許文献１】特開２００２−３２０４０８号公報
【発明の開示】
【発明が解決しようとする課題】
【０００５】
ところで、上記の特許文献１の植栽構造は、ゼオライト等の多孔質材料に植物を根付かせるようにしたものであるため、芝生等の限定された植物しか植栽することができず、草花や樹木等を植栽し得るものではない。
【０００６】
また、植物栽培用構造体の表面に芝生シートを設置した場合、この芝生シートを固定する手段がなく、芝生シートが風等で飛ばないようにするために、多数設置した芝生シート全体をネットで覆ったり、ピンで固定する方法もあるが、施工が非常に面倒になるという問題があった。
【０００７】
さらに、壁面に植物を植栽する方法は、これをポット植栽で行う場合、ポットを横に傾けるとポット内の土壌がこぼれてしまうという問題があった。
【０００８】
本発明は、以上の事情に鑑みてなされたもので、屋上等のコンクリート床、斜面、折版屋根、さらには壁面等に容易に設置することを可能とし、また、従来の飛散防止のためのネットを不要として、芝生の植栽、ポット植栽、さらには壁面用のポット植栽をも可能とした多目的植栽基盤を提供することを目的とする。
【課題を解決するための手段】
【０００９】
上記の目的を達成するために、本発明による請求項１の多目的植栽基盤は、押え桟によって仕切られた開放窓を有する押え蓋と、該押え蓋の開口側を支持すると共に前記押え蓋内に充填した培土を受ける受皿とからなり、前記押え蓋の開放窓を下方にして裏返した芝生シートで前記開放窓を閉塞した状態にして前記押え蓋内に培土を充填し、該押え蓋の開口側に前記受皿を被せた状態にして前記押え蓋側を表に返すことによって該押え蓋内の培土上にある前記芝生シートを前記押え蓋の押え桟で押えた状態にすることを特徴とする。
【００１０】
また、本発明の請求項２の多目的植栽基盤は、押え桟によって仕切られた開放窓を有する押え蓋と、該押え蓋の開口側を支持すると共に前記押え蓋内に充填した培土を受ける受皿とを有し、これらの組み合わせをポット植栽に使用する場合、前記押え蓋内に収容した状態で前記開放窓側に露呈する植栽ポットを備えた植栽ポットトレーを設け、前記押え蓋の開放窓を下方にして裏返した前記植栽ポットトレーで前記開放窓を閉塞した状態にして前記押え蓋内に培土を充填し、該押え蓋の開口側に前記受皿を被せた状態にして前記押え蓋側を表に返すことによって該押え蓋内の培土上にある前記植栽ポットトレーを前記押え蓋の押え桟で押えた状態にすると共に該押え蓋の開放窓に露呈された前記植栽ポットに植物を植栽するようにしたことを特徴とする。
【００１１】
また、本発明による請求項３の多目的植栽基盤は、押え桟によって仕切られた開放窓を有する押え蓋と、該押え蓋の開口側を支持すると共に前記押え蓋内に充填した培土を受ける受皿とを有し、これらの組み合わせを壁面に沿って縦状に取り付けてポット植栽に使用する場合、前記押え蓋内に収容して前記開放窓に露呈する植栽ポットを備えた植栽ポットトレーを設けると共に、該植栽ポットトレーの植栽ポットの外側に取り付けて該植栽ポット内の培土を受けるポケット状の土受けトレーを設け、さらに該土受けトレーを所定位置に保持すると共に前記押え蓋を押えるメッシュ盤を設け、該メッシュ盤と前記押え蓋と前記受皿を貫くネジによって壁面に直接、又は壁面に固定した金具を介して取り付けるようにしたことを特徴とする。
【００１２】
さらに、本発明による請求項４の多目的植栽基盤は、請求項３記載の多目的植栽基盤において、前記壁面に沿って縦状に取付けた状態における植栽基盤の前記植栽ポットトレーに設けられた各植栽ポットの外周の下側に沿って感温性の吸排水性ポリマーを用いた感温性吸排水マットを勾配をつけて設けると共に、該植栽ポットトレーの最上部に感温性吸排水マットを勾配をつけて設け、該最上部の感温性吸排水マットに接触する位置に複数の給水穴を有する水平管を備えた潅水パイプを設け、各給水穴から流出した水分を前記最上部の感温性吸排水マットに吸収させると共に、該最上部の感温性吸排水マットの勾配に沿って流下した水分を順次下方の感温性吸排水マット及び培土を経て各感温性吸排水マットに供給するようにしたことを特徴とする。
【発明の効果】
【００１３】
本発明の多目的植栽基盤によれば、押え蓋と受皿との使用によって芝生の植栽を行うことができ、この組み合わせに植栽ポットトレーを設けることによってポット植栽に使用することができ、さらに、上記の組み合わせのほかに、植栽ポットトレーと土受けトレーとメッシュ盤を設けることによって、壁面におけるポット植栽に適用することができる。
【００１４】
上記の本発明において、多目的植栽基盤を芝生の植栽に使用する場合、芝生シートを押え蓋の押え桟で押えつけて一体化した植栽基盤とすることができ、屋上、屋根等に設置するだけで芝生による緑化が可能となる。また、芝生シートは押え蓋の押え桟で押えられているため、風等で飛んだりすることがない。さらに、このような多目的植栽基盤は、現場での施工が容易であり、従来のような飛散防止用のネット及び芝生シートを押える固定具が不要であり、施工現場での労力を大幅に軽減できるものである。
【００１５】
また、本発明の多目的植栽基盤をポット植栽に使用する場合、基盤の厚さがあるため、内部に培土を充填することができ、屋上、屋根等に設置するだけで多彩な植物の植栽が可能となり、屋上、屋根等の美化或いは意匠性に有効となる。また、植栽ポットに予め種子、苗を植えて養生することより、植物が植えられた植栽基盤として販売することができ、購入者はこの基盤を屋上、ベランダ、屋根等に置くだけで屋上緑化ができるため、簡便な屋上緑化が可能となる。
【００１６】
さらに、本発明の多目的植栽基盤を壁面用のポット植栽に使用する場合、上記の部材の組み合わせに土受けトレーとメッシュ盤とを設けることにより、壁面用植栽基盤として併用することが可能となる。しかも、土受けトレーの各ポケットによって植栽ポット内の培土のこぼれ落ちを防止でき、さらには横向きに植えられた植物の茎を各ポケットの上縁で上方に曲げて生育させることが可能となる。
【００１７】
また、本発明は、芝生の植栽、ポット植栽のいずれにおいて、折版屋根のように、凹凸がある屋根の場合にも、本発明の多目的植栽基盤をネジやワイヤ等で固定することによって安全な設置が可能となり、この種の屋根における緑化が可能となる。
【００１８】
さらに、本発明の多目的植栽基盤を壁面用のポット植栽に使用する場合において、植栽ポットトレーに設けられた各植栽ポットの外周の下側に沿って感温性の吸排水性ポリマーを用いた感温性吸排水マットを勾配をつけて設けると共に、該植栽ポットトレーの最上部に感温性吸排水マットを勾配をつけて設け、該最上部の感温性吸排水マットに接触する位置に複数の給水穴を有する水平管を有する潅水パイプを設けたことにより、各給水穴から流出した水分を最上部の感温性吸排水マットに吸収させると共に、該最上部の感温性吸排水マットの勾配に沿って流下した水分を周りの培土を介して順次下方の感温性吸排水マットに供給することができ、これによって各植栽ポットの周りに均等に給水することが可能となる。
【００１９】
また、上記の感温性吸排水マットは、低温で水分を吸収保持すると共に所定の温度（１５℃〜６０℃の間）で水分を放出するため、例えば夜間や朝方の低温状態において感温性吸排水マットに吸収保持されている水分が、日中になって所定の温度まで上昇すると、感温性吸排水マット内の水分が外方へ排出されて植物へ給水されることとなる。従って、潅水パイプによる給水を最小限に抑えることができるため、給水を毎日又は数日毎に行うだけで、非潅水時には、所定の温度に達した感温性吸排水マットから水分が供給されるため、本発明の多目的植栽基盤に植栽された植物の水不足を解消することが可能となる。
【発明を実施するための最良の形態】
【００２０】
以下、本発明の実施例について図面を参照しながら説明する。
【実施例１】
【００２１】
本実施例の多目的植栽基盤は、図１(ａ）〜（ｃ）に示すように、押え桟２によって仕切られた開放窓３を有する押え蓋５と、該押え蓋５の開口側を支持すると共に押え蓋５内に充填した培土６を受ける受皿７とからなるものであり、これらの組合せを芝生シート８の植栽に使用するようにしてある。なお、上記の押え蓋５或いは受皿７は合成樹脂、又は金属等によって形成することができる。
【００２２】
このような構成をより詳細に述べると、押え蓋５は平面形状が矩形又は方形であって、高さを有し、上面には格子状の押え桟２によって仕切られた複数の開放窓３が形成されている。この開放窓３は後述する植栽ポットトレー９に設けられた植栽ポット１０の形成位置に対応するものであり、夫々の植栽ポット１０を各開放窓３から露呈するように押え桟２が形成されている。
【００２３】
また、この押え蓋５の側部には通気孔用の複数のスリット１１が形成されている。夫々のスリット１１は後述するように内部に充填した培土６がこぼれ出ない程度の隙間を有するものである。
【００２４】
さらに、押え蓋５の四方角部には、後述する長ネジ１３を挿通するためのネジ穴１２ａが形成されている。ただし、本発明の多目的植栽基盤を芝生シート８の植栽のみに使用する場合、ネジ穴１２ａは不要であるが、予めネジ穴１２ａを設けることによって、実施例２のポット植栽、さらには実施例３の壁面に取り付けるポット植栽に併用することが可能である。
【００２５】
一方、受皿７は、図１(ｂ）に示すように、上記の押え蓋５の開口側を支持すると共に押え蓋５内に充填した培土６を受けるものであって、上記の押え蓋５の外周に嵌合する平面形状及び内径を有する。また、図１(ｃ）に示すように、受皿７の底面に底上げ部７ａを有し、外周の立ち上げ枠７ｂによって押え蓋５の開口側の外周を嵌合することができる。即ち、受皿７の立ち上げ枠７ｂの内側には鉤部７ｄが形成されると共に、これに対応して押え蓋５の側部に凹部５ａが形成され、受皿７を押え蓋５の開口側に嵌め込んだ際に、受皿７の鉤部７ｄと押え蓋５の凹部５ａが嵌り合って、押え蓋５と受皿７とが一体的に固定される。
【００２６】
さらに、受皿７の四方角部には、後述する長ネジ１３を挿通するためのネジ穴１２ｂ（図７参照）が形成されている。ただし、この受皿７のネジ穴１２ｂもまた上記の押え蓋５のネジ穴１２ａと同様に、多目的植栽基盤を芝生シート８の植栽のみに使用する場合は、ネジ穴１２ｂは不要であるが、予めネジ穴１２ｂを設けることによって、実施例２のポット植栽、さらには実施例３の壁面に取り付けるポット植栽に併用することが可能である。
【００２７】
このような押え蓋５と受皿７とを使用して、図２（ａ）及び（ｂ）に示すように芝生シート８を植栽するには、図３（ａ）に示すように、押え蓋５の開放窓３を下方にして、その内部に裏返した芝生シート８を収納する。この場合、芝生シート８の面積は押え蓋５の開放窓３側を全面的に覆うものとする。こうして、図３（ｂ）に示すように、芝生シート８で押え蓋５の開放窓３を閉塞した状態にして、この押え蓋５内に培土６を充填することができる。次いで、図３（ｃ）に示すように、押え蓋５の開口側に受皿７を被せた状態にする。このとき、受皿７の立ち上げ枠７ｂの鉤部７ｄ（図１（ｃ）参照）を押え蓋５の凹部５ａに嵌め込んで、押え蓋５と受皿７とを一体的に固定する。
【００２８】
そして、図３（ｄ）に示すように押え蓋５の開放窓３側を表に返すことによって、図２（ａ）又は（ｂ）に示すように、該押え蓋５内の培土６上にある芝生シート８を押え蓋５の押え桟２で押えた状態にする。こうすることにより、内部の培土６は受皿７と押え蓋５との内部空間に充填されてこぼれ出ることがなく、また押え蓋５の開放窓３から芝生シート８の芝が生え出ると共に、根部は培土６内に伸びて培土６内の養分や水分を吸収することができる。
【００２９】
従って、本実施例による多目的植栽基盤によれば、上記のように裏返した押え蓋５内に収納された芝生シート８が培土６を充填する際の土受けとなり、この押え蓋５の開口側に受皿７を被せた後、押え蓋５を表に返すことによって、上記の芝生シート８が押え蓋５内にて培土６の上部に位置することにより、芝生シート８を押え蓋５の押え桟２で押えた状態にして押え蓋５の開放窓３から芝生を上方に伸張させることが可能となる。
【００３０】
また、このような芝生シート８の植栽を可能とした多目的植栽基盤は、屋上や屋根の平坦面、さらには多少の傾斜面にも設置することができ、さらには折版屋根にもネジ等で固定することによって屋上或いは屋根の緑化に利用することが可能となる。
【００３１】
上記の培土６としては、多目的植栽基盤の内部に軽石等による土壌を充填するが、軽石だけでは土壌としての保水性或いは保肥性等の役割を果たすことができないため、ココダストに、ベントナイト、ココヤシ繊維、発泡樹脂、肥料等を混入して圧縮し、これをスリットからこぼれ出ない外径を有するように、粒状、ブリケット状、ペレット状等に形成した圧縮固形体として混合する。なお、肥料は圧縮固形体に混合せず、軽石と圧縮固形体の混合時に混ぜるようにしてもよい。
【実施例２】
【００３２】
本実施例の多目的植栽基盤は、図１(ａ）〜（ｃ）に示す押え蓋５と受皿７とをポット植栽に使用する場合であり、実施例１と同構成の押え蓋５と受皿７のほかに、この押え蓋５内に収容した状態で押え蓋５の開放窓３側に露呈する植栽ポット１０を備えた植栽ポットトレー９を有するものである。なお、この植栽ポットトレー９もまた、押え蓋５や受皿７と同様に、合成樹脂或いは金属等によって形成することができる。
【００３３】
このような構成をより詳細に述べると、本実施例における植栽ポットトレー９は、図１（ａ）に示す押え蓋５の押え桟２によって仕切られた複数の開放窓３から露呈する位置に植栽ポット１０を形成することによって、図４（ａ）に示すように複数の植栽ポット１０を形成すると共に、押え蓋５の押え桟２が位置する部位にはスリット１１を設けず、それ以外の平板部９ａに多数のスリット１１を設けて通気孔とし、また図４（ｂ）に示すように、植栽ポット１０の側部にもスリット１１を設けて通気及び通水さらには根部の通過及び伸長を可能としている。
【００３４】
上記の構成により、図５（ａ）及び（ｂ）に示すように、培土６を充填した押え蓋５と受皿７との内部に上記の植栽ポットトレー９を収納して、各植栽ポット１０にて根部を有する植物４の植栽を行うことができる。このような植栽において、植物４の根部は各植栽ポット１０のスリット１１を経て培土６内に伸長することができる。
【００３５】
また、屋上緑化においては、防根シートが必要であるが、受皿７の底面が防根シートの役割をするため、本発明において防根シートは不要となる。なお、上方から供給された水分は培土６を経て受皿７の底面に至るが、受皿７に設けられたネジ穴１２ｂを通過して外部へ排出される。このように受皿７の外部に排出された水分、及び雨水、散水などの余分な水分は、受皿７の底上げ部７ａによる受皿７の底裏側の空間を円滑に流れることができる。
【００３６】
上記の押え蓋５と受皿７と植栽ポットトレー９を使用して、図５（ａ）及び（ｂ）に示すようにポット植栽を行うには、図６（ａ）に示すように押え蓋５の開放窓３を下方にして、その内部に裏返した植栽ポットトレー９を収納して該植栽ポットトレー９で開放窓３を閉塞した状態にし、図６（ｂ）に示すように、この押え蓋５内に実施例１で述べたと同様の培土６を充填し、次いで図６（ｃ）に示すように、該押え蓋５の開口側に受皿７を被せた状態にする。このとき、図１（ｃ）に示す受皿７の立ち上げ枠７ｂの鉤部７ｄを押え蓋５の凹部５ａに嵌め込んで、押え蓋５と受皿７とを一体的に固定する。
【００３７】
そして、図６（ｄ）に示すように、押え蓋５の開放窓３側を表に返すことによって、図５（ａ）又は(ｂ）に示すように、押え蓋５内の培土６の上部にある植栽ポットトレー９を押え蓋５の押え桟２で押えた状態にする。
【００３８】
本実施例による多目的植栽基盤によれば、上記のように裏返した押え蓋５内に収納された植栽ポットトレー９が培土６を充填する際の土受けとなり、この押え蓋５の開口側に受皿７を被せた後、押え蓋５を表に返すことによって、上記の植栽ポットトレー９が押え蓋５内にて培土６の上部に位置すると共に、該植栽ポットトレー９を押え蓋５の押え桟２で押えた状態にし、該押え蓋５の開放窓３から露呈した各植栽ポット１０に根部を植栽して上方に伸張させることが可能となる。
【００３９】
また、実施例１と同様に、上記のポット植栽を可能とした多目的植栽基盤は、屋上や屋根の平坦面、さらには多少の傾斜面にも設置することができ、さらには折版屋根にもネジ又はワイヤ等で固定することによって屋上或いは屋根の緑化に利用することが可能となる。
【実施例３】
【００４０】
本実施例の多目的植栽基盤は、図１(ａ）〜(ｃ）に示す押え蓋５と受皿７とを壁面に沿って縦状に取り付けるポット植栽に使用する場合であり、実施例１と同構成の押え蓋５と受皿７のほかに、この押え蓋５内に収容した状態で押え蓋５の開放窓３側に露呈する植栽ポット１０を備えた植栽ポットトレー９と、該植栽ポットトレー９の植栽ポット１０の外側に取り付けて該植栽ポット１０内の培土６を受けるポケット状の土受けトレー１５と、該土受けトレー１５を所定位置に保持すると共に押え蓋５を押えるメッシュ盤１９とを有するものである。なお、これらの土受けトレー１５及びメッシュ盤１９もまた、上記の植栽ポットトレー９、押え蓋５或いは受皿７と同様に、合成樹脂或いは金属等によって形成することができる。
【００４１】
このような構成をより詳細に述べると、本実施例における植栽ポットトレー９は、実施例２と同様、図１０に示すように、押え蓋５内に収容した状態で押え蓋５の開放窓３側に露呈する植栽ポット１０を備えたものであり、押え蓋５の押え桟２によって仕切られた複数の開放窓３から露呈する位置に植栽ポット１０を形成すると共に、所要箇所に多数のスリット１１を設けたものである。
【００４２】
なお、図７に示すように、植栽ポットトレー９の四方角部には切り欠き凹部９ｂ（図４(ａ）参照）が形成されている。これは、上記の押え蓋５と受皿７の四方角部に形成されたネジ穴１２ａ、１２ｂに対応した位置に設けられたもので、後述するように押え蓋５と受皿７のネジ穴１２ａ、１２ｂに挿通した長ネジ１３（図１０参照）の逃げとして機能する。
【００４３】
土受けトレー１５は、上記の植栽ポットトレー９の植栽ポット１０の外側に取り付けて該植栽ポット１０内の培土６を受けるようにしたものである。即ち、その形状は上記の植栽ポットトレー９に設けられた植栽ポット１０の横一列の数に対応するものであり、図７に示すように、例えば植栽ポットトレー９の横一列に３個の植栽ポット１０が形成されている場合、土受けトレー１５のポケット１６も３連構成とする。
【００４４】
また、図９に示すように、この土受けトレー１５は押え蓋５の押え桟２の上方に当接されるものであるため、押え桟２の逃げとして、各ポケット１６、１６の間と両側に凹溝１５ａを有する突起部１５ｂを形成してあり（図７参照）、これによって土受けトレー１５の平板部１５ｃは植栽ポットトレー９に接合した状態に取り付けられる。
【００４５】
さらに、この土受けトレー１５の各ポケット１６は植栽ポットトレー９の各植栽ポット１０の球形の直径を越す高さとすることによって、図１０に示すように各植栽ポット１０内の培土６をポケット１６で受けると共に、各植栽ポット１０内に植えられた植物の茎をポケット１６の上縁１６ａで押し上げてこの茎を上方へ伸長した状態に生育させることが可能となる。
【００４６】
また、上記のメッシュ盤１９は、上記の土受けトレー１５を所定位置に保持すると共に、押え蓋５を押えるためのものである。即ち、図８又は図９に示すように、メッシュ盤１９は、上記の押え蓋５を上方から覆うような形状に形成されると共に、押え蓋５の開放窓３に略対応する開口窓１７（図７参照）を有し、これらの開口窓１７を仕切る仕切り桟１８が土受けトレー１５の各突起部１５ｂの側方から該土受けトレー１５の平板部１５ｃを押え込むように２条ずつの仕切り桟１８としている。
【００４７】
さらに、図７に示すように、メッシュ盤１９の四方角部にはネジ穴１２ｃが形成されている。夫々のネジ穴１２ｃは上記の押え蓋５と受皿７の四方角部に設けられたネジ穴１２ａ、１２ｂに対応する位置に形成され、図１０に示すように、メッシュ盤１９のネジ穴１２ｃから挿通した長ネジ１３を押え蓋５のネジ穴１２ａと受皿７のネジ穴１２ｂとに挿通して、受皿７の底上げ部７ａの角部に形成した切欠７ｃにて長ネジ１３を一旦ナット２１で締結し、さらに長ネジ１３の余長を壁面２０にネジ２３等で固定した金具２４のネジ穴２４ａに挿通して、ナット２２で固定したものである。
【００４８】
上記の押え蓋５と受皿７と植栽ポットトレー９と土受けトレー１５とメッシュ盤１９とを使用して、図１０に示すように壁面２０に取り付けてポット植栽を行うには、実施例２と同様に、図６（ａ）〜（ｄ）に示す手順で、植栽ポットトレー９を収納した押え蓋５と受皿７との内部に培土６を充填して押え蓋５と受皿７とを一体的に固定し、その状態の植栽ポットトレー９の各横一列ごとに土受けトレー１５を取り付け、その上方からメッシュ盤１９を被せ、この状態で四方角部のネジ穴１２に長ネジ１３を挿入して上記のように壁面２０の金具２４に固定する。
【００４９】
このような壁面２０にて行うポット植栽のための多目的植栽基盤は、実施例１の押え蓋５と受皿７とを使用し、さらに実施例２の植栽ポットトレー９を使用した上で、本実施例特有の土受けトレー１５とメッシュ盤１９とを使用してネジ締結により完成させることができる。
【００５０】
しかも、本実施例の多目的植栽基盤は、上記のように各植栽ポット１０内の培土６を土受けトレー１５のポケット１６で受けることによって各植栽ポット１０内の培土６のこぼれ落ちを防止でき、さらに各植栽ポット１０内に植えられた植物４の茎をポケット１６の上縁１６ａで押し上げてこの茎を上方へ伸長した状態に生育させることが可能となる。
【実施例４】
【００５１】
本実施例の多目的植栽基盤は、実施例３と同様に、押え蓋５と受皿７とを壁面２０に沿って縦状に取り付けるポット植栽に使用するものであり、押え蓋５内に収容した状態で押え蓋５の開放窓３側に露呈する植栽ポット１０を備えた植栽ポットトレー９と、該植栽ポットトレー９の外側に取り付けて該植栽ポット１０内の培土６を受けるポケット１６を有する土受けトレー１５と、該土受けトレー１５を所定位置に保持すると共に押え蓋５を押えるメッシュ盤１９とを有するものである。
【００５２】
このような構成の多目的植栽基盤の給水構造としては、不図示であるが、受皿の底面に沿って保水マットを設けることや、給水装置を有する導水マット等を設けることも考えられるが、植栽基盤を壁面に沿って縦状に取り付けると、その内部に設けたマットも垂直状になり、このようなマットに上方から給水すると、マットの含水率が上部では小さく下部では大きくなるため、上下に配して植栽された植物への給水が均等にできないという不都合が生じる。さらに、上方から給水された水が下部から排水されるため、水の使用効率に無駄が生じ、不経済になる。
【００５３】
本実施例は、実施例３のように複数のポケット１６を有する土受けトレー１５を設けた多目的植栽基盤を壁面２０に沿って縦状に取り付けた場合であっても、各植栽ポット１０、１０…の周りに均等に給水されるようにしたものである。
【００５４】
即ち、その構成は、図１１（ａ）又は（ｂ）に示すように、壁面２０に沿って縦状に取付けた状態における植栽基盤の植栽ポットトレー９に設けられた各植栽ポット１０、１０…の外周の下側に沿ってウレタン等に感温性の吸排水性ポリマーを含有させることにより保水性と排水性を有する感温性吸排水マット２８を勾配をつけて設けると共に、該植栽ポットトレー９の最上部に感温性吸排水マット２８ａを勾配をつけて設け、該最上部の感温性吸排水マット２８ａに接触する位置に複数の給水穴２６を有する水平管２７を備えた潅水パイプ２７を設けた構成としている。
【００５５】
このような構成について詳細に述べると、図１１（ｂ）に示すように、植栽ポットトレー９には縦横に配列した複数の植栽ポット１０、１０…が形成されており、夫々の植栽ポット１０は受皿７の底面方向へ窄まった形状にされている。従って、植栽ポットトレー９を縦状にした状態において、各植栽ポット１０の外周の下側に沿って感温性吸排水マット２８を設けることにより、各感温性吸排水マット２８は窄まり形状を有する植栽ポット１０の外周に沿った勾配（各植栽ポット１０の開口側へ下り勾配）を有することとなる。
【００５６】
ただし、この感温性吸排水マット２８につけるべき勾配は、感温性吸排水性マット２８内に保水された水及び感温性の吸排水性ポリマーから放出された水が重力によりマット内を移動し易くし、且つ下端部から流出し易くするため、水平方向に対して０度以上の角度とし、その勾配は水平方向に対して５度〜３０度の角度とするのが好ましい。
【００５７】
また、本実施例においては、植栽ポットトレー９の最上部にも感温性吸排水マット２８ａを勾配をつけて設ける。この最上部の感温性吸排水マット２８ａは、図１１（ｂ）に示すように、押え蓋５の外周が有する勾配を利用してその内側に沿うように設けることにより、最上部の感温性吸排水マット２８ａにも勾配が設けられることとなる。ただし、この最上部の感温性吸排水マット２８ａにおいても、上記の各感温性吸排水マット２８と同様に、好ましくは５度〜３０度の下り勾配を有するように取り付けるのがよい。
【００５８】
なお、上記の各感温性吸排水マット２８及び最上部の感温性吸排水マット２８ａは、図６に示すように、押え蓋５の内部に培土６を充填する際に取付けるとよい。即ち、図６(ａ）に示すように、押え蓋５の開放窓３を下方にして、その内部に裏返した植栽ポットトレー９を収納した際、各植栽ポット１０は底部を上方に向けて設置された状態となる。
【００５９】
このとき、植栽ポットトレー９が縦状にされた状態で各植栽ポット１０の外周の下側となるべき部位に沿って感温性吸排水マット２８（図６には不図示）を添え、また押え蓋５の外周に沿って最上部の感温性吸排水マット２８ａ（図６には不図示）を添え、その状態で、図６（ｂ）に示すように押え蓋５内に培土６を充填することによって、各感温性吸排水マット２８、２８ａは各植栽ポット１０の外周の下側及び植栽ポットトレー９の最上部に勾配を有した状態で取付けられる。
【００６０】
本実施例においては、さらに、図１１（ａ）及び（ｂ）に示すように、最上部の感温性吸排水マット２８ａに接触する位置に複数の給水穴２５を有する水平管２６を備えた潅水パイプ２７を設けた構成としている。なお、このように潅水パイプ２７を設けるには、押え蓋５やメッシュ盤１９の所定位置に潅水パイプ２７が貫通する貫通穴２９を設ける必要がある。また、夫々の潅水パイプ２７は不図示の集合パイプに連結して給水装置より水分を供給する。
【００６１】
上記の構成において、潅水パイプ２７の水平管２６の両端は閉塞されており、複数の給水穴２５のみから水分が排出され、これに接触する最上部の感温性吸排水マット２８ａに複数の給水穴２５から排出された水分が吸収される。
【００６２】
上記の構成により、潅水パイプ２７の水平管２６に設けられた各給水穴２５から流出した水分は最上部の感温性吸排水マット２８ａに吸収保持され、この最上部の感温性吸排水マット２８ａの勾配に沿ってその下端部から流下した余分な水分は周りの培土６を介して下方の植栽ポット１０の周りに流れ、該植栽ポット１０の下側に設けられた感温性吸排水マット２８に吸収保持され、このようにして水分が順次下方の感温性吸排水マット２８及び培土６を経て各感温性吸排水マット２８、２８…に供給される。
【００６３】
なお、このような感温性吸排水性マット２８は各植栽ポット１０の下側に沿って設けられているため、各植栽ポット１６内の植物４の根部が植栽ポット１０のスリット１１（図５（ｂ）参照）を経て感温性吸排水マット２８に根付き、この感温性吸排水マット２８から直接水分を吸収することも可能である。
【００６４】
上記の実施例4において、感温性吸排水マット２８、２８ａはウレタンに感温性の吸排水性ポリマーを含有する吸排水性マットであって、低温で水を吸収保持すると共に所定の高温度（１５℃〜６０℃の間）で排水性を有する性質を有するものであり、このような物質として、感温吸排水樹脂「サーモゲル」を配合したウレタンマットとして、商品名「ウォーターバング」（（株）興人）が公知である。
【００６５】
上記のような感温性吸排水マットを使用すれば、例えば夜間や朝方の低温状態において感温性吸排水マットに吸収保持されている水分が、日中になって所定の温度まで上昇したときに排出されて植物へ給水される。このため、潅水パイプによる給水を最小限に押さえることができるため、給水を毎日又は数日毎に行うだけで、非潅水時には、所定の温度に達した時点で感温性吸排水マットから水分が供給され、多目的植栽基盤に植栽された植物の水不足を解消するのに有効となる。なお、多目的植栽基盤に植栽される植物により、感温性吸排水マットの厚さを変えたり、植物に合った感温点を有する感温性吸排水性マットを使用するのが好ましい。
【産業上の利用可能性】
【００６６】
本発明の多目的植栽基盤は、押え蓋と受皿との使用によって芝生シートの植栽を行うことができ、この組み合わせに植栽ポットトレーを設けることによってポット植栽に使用することができ、さらに、上記の組み合わせのほかに、土受けトレーとメッシュ盤とを設けることによって、壁面に取り付けるポット植栽に使用することができる。従って、本発明の多目的植栽基盤は、押え蓋と受皿と植栽ポットトレーと土受けトレーとメッシュ盤とを適宜に組み合わせることにより、多目的な植栽基盤として使用することが可能となる。
【図面の簡単な説明】
【００６７】
【図１】（ａ）は本発明の実施例１における押え蓋の平面図であり、（ｂ）は押え蓋に受皿を取り付けた側面図であり、（ｃ）は押え蓋と受皿の分解断面図である。
【図２】（ａ）は本発明の実施例１による多目的植栽基盤に芝生シートを設けた平面図であり、（ｂ）はその側面図である。
【図３】（ａ）〜（ｄ）は、本発明の実施例１における多目的植栽基盤の概略的組立て施工図である。
【図４】（ａ）は本発明の実施例２に使用する植栽ポットトレーの平面図であり、（ｂ）はその側面図である。
【図５】（ａ）は本発明の実施例２による多目的植栽基盤の植栽ポットに植物を植栽した状況を示す平面図であり、（ｂ）はその部分断面側面図である。
【図６】（ａ）〜（ｄ）は、本発明の実施例２における多目的植栽基盤の概略的組立て施工図である。
【図７】本発明の実施例３による多目的植栽基盤の分解平面図（部材によってはその一部を示す）である。
【図８】本発明の実施例３による多目的植栽基盤に植物を植栽した状況を示す正面図である。
【図９】本発明の実施例３による多目的植栽基盤の部分断面図である。
【図１０】本発明の実施例３による多目的植栽基盤を壁面に取り付けた状況を示す部分断面側面図である。
【図１１】本発明の実施例４による多目的植栽基盤に関する図面であり、（ａ）は押え蓋の上部を示す部分正面図、（ｂ）は本実施例の多目的緑化基盤を壁面に取り付けた状況を示す断面図である。
【図１２】（ａ）〜（ｃ）は、特許文献１を説明するための図である。
【符号の説明】
【００６８】
２…押え桟
３…開放窓
４…植物
５…押え蓋
５ａ…凹部
６…培土
７…受皿
７ａ…底上げ部
７ｂ…立ち上げ枠
７ｃ…切欠
７ｄ…鉤部
８…芝生シート
９…植栽ポットトレー
９ａ…平板部
１０…植栽ポット
１１…スリット
１２ａ、１２ｂ、１２ｃ…ネジ穴
１３…長ネジ
１５…土受けトレー
１５ａ…凹溝
１５ｂ…突起部
１５ｃ…平板部
１６…ポケット
１６ａ…上縁
１７…開口窓
１８…仕切り桟
１９…メッシュ盤
２０…壁面
２１…ナット
２２…ナット
２３…ネジ
２４…金具
２４ａ…ネジ穴
２５…給水穴
２６…水平管
２７…潅水パイプ
２８…感温性吸排水マット
２８ａ…最上部の感温性吸排水マット
２９…貫通穴
【図１】
2005333976.tif 000003
【図２】
2005333976.tif 000004
【図３】
2005333976.tif 000005
【図４】
2005333976.tif 000006
【図５】
2005333976.tif 000007
【図６】
2005333976.tif 000008
【図７】
2005333976.tif 000009
【図８】
2005333976.tif 000010
【図９】
2005333976.tif 000011
【図１０】
2005333976.tif 000012
【図１１】
2005333976.tif 000013
【図１２】
2005333976.tif 000014
【手続補正書】
【提出日】平成17年7月11日(2005.7.11)
【手続補正１】
【補正対象書類名】特許請求の範囲
【補正対象項目名】全文
【補正方法】変更
【補正の内容】
【特許請求の範囲】
【請求項１】
押え桟によって仕切られた開放窓を有する押え蓋と、該押え蓋の開口側を支持すると共に前記押え蓋内に充填した培土を受ける受皿とからなり、
前記押え蓋は、四方角部にネジ穴が形成された平面形状の矩形又は方形であって、該押え蓋は高さを有する側部が形成され、該側部には通気孔用の複数のスリットと凹部が形成され、更に該押え蓋の上面には格子状の前記押え桟によって仕切られた複数の前記開放窓が形成されたことにより、該押え蓋の該開放窓を下方にして裏返した芝生シートで該開放窓を閉塞した状態にして該押え蓋内に培土を充填するようにしたこと、
及び前記受皿は、該押え蓋の外周に嵌合する平面形状及び内径を有し、該内径は該受皿の外周を形成する立ち上げ枠であり、該立ち上げ枠の内側には前記押え蓋の凹部に嵌合する鉤部が形成されたことにより、前記押え蓋の開口側に該受皿を被せた状態にして該押え蓋側を表に返すことによって該押え蓋内の培土上にある前記芝生シートを該押え蓋の押え桟で押えた状態にするようにしたこと、を特徴とする多目的植栽基盤。
【請求項２】
押え桟によって仕切られた開放窓を有する押え蓋と、該押え蓋の開口側を支持すると共に前記押え蓋内に充填した培土を受ける受皿とを有し、これらの組み合わせをポット植栽に使用する場合、前記押え蓋内に収容した状態で前記開放窓側に露呈する植栽ポットを備えた植栽ポットトレーを設け、前記押え蓋の開放窓を下方にして裏返した前記植栽ポットトレーで前記開放窓を閉塞した状態にして前記押え蓋内に培土を充填し、該押え蓋の開口側に前記受皿を被せた状態にして前記押え蓋側を表に返すことによって該押え蓋内の培土上にある前記植栽ポットトレーを前記押え蓋の押え桟で押えた状態にすると共に該押え蓋の開放窓に露呈された前記植栽ポットに植物を植栽するようにしたことを特徴とする多目的植栽基盤。

【請求項３】
押え桟によって仕切られた開放窓を有する押え蓋と、該押え蓋の開口側を支持すると共に前記押え蓋内に充填した培土を受ける受皿とを有し、これらの組み合わせを壁面に沿って縦状に取り付けてポット植栽に使用する場合、前記押え蓋内に収容して前記開放窓に露呈する植栽ポットを備えた植栽ポットトレーを設けると共に、該植栽ポットトレーの植栽ポットの外側に取り付けて該植栽ポット内の培土を受けるポケット状の土受けトレーを設け、さらに該土受けトレーを所定位置に保持すると共に前記押え蓋を押えるメッシュ盤を設け、該メッシュ盤と前記押え蓋と前記受皿を貫くネジによって壁面に直接又は壁面に固定した金具を介して取り付けるようにしたことを特徴とする多目的植栽基盤。

【請求項４】
請求項３記載の多目的植栽基盤において、前記壁面に沿って縦状に取付けた状態における植栽基盤の前記植栽ポットトレーに設けられた各植栽ポットの外周の下側に沿って感温性の吸排水性ポリマーを用いた感温性吸排水マットを勾配をつけて設けると共に、該植栽ポットトレーの最上部に感温性吸排水マットを勾配をつけて設け、該最上部の感温性吸排水マットに接触する位置に複数の給水穴を有する水平管を備えた潅水パイプを設け、各給水穴から流出した水分を前記最上部の感温性吸排水マットに吸収させると共に、該最上部の感温性吸排水マットの勾配に沿って流下した水分を順次下方の感温性吸排水マット及び培土を経て各感温性吸排水マットに供給するようにしたことを特徴とする多目的植栽基盤。
【手続補正２】
【補正対象書類名】明細書
【補正対象項目名】０００９
【補正方法】変更
【補正の内容】
【０００９】
上記の目的を達成するために、本発明による請求項１の多目的植栽基盤は、押え桟によって仕切られた開放窓を有する押え蓋と、該押え蓋の開口側を支持すると共に前記押え蓋内に充填した培土を受ける受皿とからなり、前記押え蓋は、四方角部にネジ穴が形成された平面形状の矩形又は方形であって、該押え蓋は高さを有する側部が形成され、該側部には通気孔用の複数のスリットと凹部が形成され、更に該押え蓋の上面には格子状の前記押え桟によって仕切られた複数の前記開放窓が形成されたことにより、該押え蓋の該開放窓を下方にして裏返した芝生シートで該開放窓を閉塞した状態にして該押え蓋内に培土を充填するようにしたこと、及び前記受皿は、該押え蓋の外周に嵌合する平面形状及び内径を有し、該内径は該受皿の外周を形成する立ち上げ枠であり、該立ち上げ枠の内側には前記押え蓋の凹部に嵌合する鉤部が形成されたことにより、前記押え蓋の開口側に該受皿を被せた状態にして該押え蓋側を表に返すことによって該押え蓋内の培土上にある前記芝生シートを該押え蓋の押え桟で押えた状態にするようにしたこと、を特徴とする。
【手続補正書】
【提出日】平成17年8月22日(2005.8.22)
【手続補正１】
【補正対象書類名】特許請求の範囲
【補正対象項目名】全文
【補正方法】変更
【補正の内容】
【特許請求の範囲】
【請求項１】
押え桟によって仕切られた開放窓を有する押え蓋と、該押え蓋の開口側を支持すると共に前記押え蓋内に充填した培土を受ける受皿とからなり、
前記押え蓋は、四方角部にネジ穴が形成された平面形状の矩形又は方形であって、該押え蓋は高さを有する側部が形成され、該側部には通気孔用の複数のスリットと凹部が形成され、更に該押え蓋の上面には格子状の前記押え桟によって仕切られた複数の前記開放窓が形成されたことにより、該押え蓋の該開放窓を下方にして裏返した芝生シートで該開放窓を閉塞した状態にして該押え蓋内に培土を充填し、
前記受皿は、外周に立ち上げ枠を有し、該立ち上げ枠は該押え蓋の外周に嵌合する平面形状及び内径を有し、該立ち上げ枠の内側には前記押え蓋の凹部に嵌合する鉤部が形成されたことにより、前記押え蓋の開口側に該受皿を被せた状態にして該押え蓋側を表に返すことによって該押え蓋内の培土上にある前記芝生シートを該押え蓋の押え桟で押えた状態にしたこと、を特徴とする多目的植栽基盤。
【請求項２】
押え桟によって仕切られた開放窓を有する押え蓋と、該押え蓋の開口側を支持すると共に前記押え蓋内に充填した培土を受ける受皿とを有し、前記押え蓋内に収容した状態で前記開放窓側に露呈する植栽ポットを備えた植栽ポットトレーを設け、前記押え蓋の開放窓を下方にして裏返した前記植栽ポットトレーで前記開放窓を閉塞した状態にして前記押え蓋内に培土を充填し、該押え蓋の開口側に前記受皿を被せた状態にして前記押え蓋側を表に返すことによって該押え蓋内の培土上にある前記植栽ポットトレーを前記押え蓋の押え桟で押えた状態にすると共に該押え蓋の開放窓に露呈された前記植栽ポットに植物を植栽することを特徴とする多目的植栽基盤。

【請求項３】
押え桟によって仕切られた開放窓を有する押え蓋と、該押え蓋の開口側を支持すると共に前記押え蓋内に充填した培土を受ける受皿とを有し、前記押え蓋内に収容して前記開放窓に露呈する植栽ポットを備えた植栽ポットトレーを設けると共に、該植栽ポットトレーの植栽ポットの外側に取り付けて該植栽ポット内の培土を受けるポケット状の土受けトレーを設け、さらに該土受けトレーを所定位置に保持すると共に前記押え蓋を押えるメッシュ盤を設け、該メッシュ盤と前記押え蓋と前記受皿を貫くネジによって壁面に直接又は壁面に固定した金具を介して取り付けたことを特徴とする多目的植栽基盤。

【請求項４】
請求項３記載の多目的植栽基盤において、前記壁面に沿って縦状に取付けた状態における植栽基盤の前記植栽ポットトレーに設けられた各植栽ポットの外周の下側に沿って感温性の吸排水性ポリマーを用いた感温性吸排水マットを勾配をつけて設けると共に、該植栽ポットトレーの最上部に感温性吸排水マットを勾配をつけて設け、該最上部の感温性吸排水マットに接触する位置に複数の給水穴を有する水平管を備えた潅水パイプを設け、各給水穴から流出した水分を前記最上部の感温性吸排水マットに吸収させると共に、該最上部の感温性吸排水マットの勾配に沿って流下した水分を順次下方の感温性吸排水マット及び培土を経て各感温性吸排水マットに供給することを特徴とする多目的植栽基盤。
【手続補正２】
【補正対象書類名】明細書
【補正対象項目名】０００９
【補正方法】変更
【補正の内容】
【０００９】
上記の目的を達成するために、本発明による請求項１の多目的植栽基盤は、押え桟によって仕切られた開放窓を有する押え蓋と、該押え蓋の開口側を支持すると共に前記押え蓋内に充填した培土を受ける受皿とからなり、前記押え蓋は、四方角部にネジ穴が形成された平面形状の矩形又は方形であって、該押え蓋は高さを有する側部が形成され、該側部には通気孔用の複数のスリットと凹部が形成され、更に該押え蓋の上面には格子状の前記押え桟によって仕切られた複数の前記開放窓が形成されたことにより、該押え蓋の該開放窓を下方にして裏返した芝生シートで該開放窓を閉塞した状態にして該押え蓋内に培土を充填し、前記受皿は、外周に立ち上げ枠を有し、該立ち上げ枠は該押え蓋の外周に嵌合する平面形状及び内径を有し、該立ち上げ枠の内側には前記押え蓋の凹部に嵌合する鉤部が形成されたことにより、前記押え蓋の開口側に該受皿を被せた状態にして該押え蓋側を表に返すことによって該押え蓋内の培土上にある前記芝生シートを該押え蓋の押え桟で押えた状態にしたこと、を特徴とする。
【手続補正３】
【補正対象書類名】明細書
【補正対象項目名】００１０
【補正方法】変更
【補正の内容】
【００１０】
また、本発明の請求項２の多目的植栽基盤は、押え桟によって仕切られた開放窓を有する押え蓋と、該押え蓋の開口側を支持すると共に前記押え蓋内に充填した培土を受ける受皿とを有し、前記押え蓋内に収容した状態で前記開放窓側に露呈する植栽ポットを備えた植栽ポットトレーを設け、前記押え蓋の開放窓を下方にして裏返した前記植栽ポットトレーで前記開放窓を閉塞した状態にして前記押え蓋内に培土を充填し、該押え蓋の開口側に前記受皿を被せた状態にして前記押え蓋側を表に返すことによって該押え蓋内の培土上にある前記植栽ポットトレーを前記押え蓋の押え桟で押えた状態にすると共に該押え蓋の開放窓に露呈された前記植栽ポットに植物を植栽することを特徴とする。
【手続補正４】
【補正対象書類名】明細書
【補正対象項目名】００１１
【補正方法】変更
【補正の内容】
【００１１】
また、本発明による請求項３の多目的植栽基盤は、押え桟によって仕切られた開放窓を有する押え蓋と、該押え蓋の開口側を支持すると共に前記押え蓋内に充填した培土を受ける受皿とを有し、前記押え蓋内に収容して前記開放窓に露呈する植栽ポットを備えた植栽ポットトレーを設けると共に、該植栽ポットトレーの植栽ポットの外側に取り付けて該植栽ポット内の培土を受けるポケット状の土受けトレーを設け、さらに該土受けトレーを所定位置に保持すると共に前記押え蓋を押えるメッシュ盤を設け、該メッシュ盤と前記押え蓋と前記受皿を貫くネジによって壁面に直接又は壁面に固定した金具を介して取り付けたことを特徴とする。
【手続補正５】
【補正対象書類名】明細書
【補正対象項目名】００１２
【補正方法】変更
【補正の内容】
【００１２】
さらに、本発明による請求項４の多目的植栽基盤は、請求項３記載の多目的植栽基盤において、前記壁面に沿って縦状に取付けた状態における植栽基盤の前記植栽ポットトレーに設けられた各植栽ポットの外周の下側に沿って感温性の吸排水性ポリマーを用いた感温性吸排水マットを勾配をつけて設けると共に、該植栽ポットトレーの最上部に感温性吸排水マットを勾配をつけて設け、該最上部の感温性吸排水マットに接触する位置に複数の給水穴を有する水平管を備えた潅水パイプを設け、各給水穴から流出した水分を前記最上部の感温性吸排水マットに吸収させると共に、該最上部の感温性吸排水マットの勾配に沿って流下した水分を順次下方の感温性吸排水マット及び培土を経て各感温性吸排水マットに供給することを特徴とする。